【事件の表示】
　特願２０１３−１２３８３０「健康管理支援装置、健康管理支援方法及びプログラム」拒絶査定不服審判事件〔平成２５年　９月　９日出願公開、特開２０１３−１７８８３９〕について、次のとおり審決する。
【結　論】
　本件審判の請求は、成り立たない。
【理　由】
第１　手続の経緯　 
　本願は，平成２０年３月１３日を出願日とする特許出願（特願２００８−０６４５６２号）の一部を平成２５年６月１２日に新たな特許出願（特願２０１３−１２３８３０号）としたものであって，平成２６年６月２日付けの拒絶理由通知に対して平成２６年８月１１日に意見書の提出とともに手続補正がなされ，平成２６年８月２２日付けの拒絶査定に対して平成２６年１１月２５日に審判請求とともに手続補正がなされ，当審の平成２７年１０月１日付けの拒絶理由通知に対して平成２７年１２月７日に意見書の提出とともに手続補正がなされたものである。 
 　　  
第２　本願発明について
　平成２７年１２月７日付けの手続補正書による特許請求の範囲の請求項１（以下，「本願発明」という。）は以下のとおりのものである。
「【請求項１】
　対象者の身体的特徴に関する身体情報と該対象者が摂取した食物を特定する食物情報との入力を受付ける第一の受付手段と，
　複数の自覚症状候補から選択された前記対象者の自覚症状及び自覚症状ごとの強度候補から選択された強度を受付ける第二の受付手段と，
　自覚症状及び強度に対応付けて栄養素及び補正量を記憶したデータから前記第二の受付手段が受付けた自覚症状及び強度に基づき抽出した栄養素及び補正量と，前記第一の受付手段が受付けた前記身体情報に基づいて決定される栄養所要量とを用いて，前記対象者に対する各栄養素の必要摂取量を算出する手段と，
　算出した前記各栄養素の必要摂取量と，前記食物情報に基づいて決定される栄養摂取量とに基づき，複数の栄養素のそれぞれについて摂取量が，予め設定されている過剰から不足までの度合いを示す複数の区分の内のいずれに属するかを判定する判定手段と，
　前記度合いが不足している栄養素を抽出し，抽出した該度合いが不足している栄養素を，不足度合いに応じた順序に並べて列記する表示だけでなく，前記複数の栄養素のそれぞれにつき所定の順序で，過剰から不足までの度合いについて前記判定手段により判定された区分に属することを識別可能に表示可能な出力手段と
　を有することを特徴とする健康管理支援装置。」
   　
第３　当審の判断
１．引用例
（１）当審の拒絶の理由に引用された，国際公開第９０／１４７９０号（以下，「引用例１」という。）には，次の事項が記載されている。なお，下線は当審において付加したものである。
ア．「１．
個人の身体データ，食物摂取データ，行動データを入力する入力手段と
　
予め食物別の栄養データを格納するとともに，典型的な個人の行動および身体の特徴等に応じた栄養の目標値データを予め格納するデータ記憶手段と
　
上記データ記憶手段に格納されている栄養データを基にして，上記入力手段より入力された食物摂取データから，摂取した栄養価を算出する第１の算出手段と
　
上記入力手段より入力された身体データ，行動データを基にして，上記データ記憶手段に格納されている目標値データを補正し，当該個人に対応する栄養の目標値を算出する第２の算出手段と
　
第１の算出手段により算出された栄養の摂取量と，第２の算出手段により算出された栄養の目標値との比較から栄養の過不足を判定する判定手段と
　
判定手段による判定結果に基づき，好ましい運動内容および／または栄養摂取内容を指示する指示手段とを有する健康管理システム
　　
イ．「
本発明は，個人の性別，年齢，体型，体力等の身体データ，睡眠時間，運動量等の行動データ，食事，嗜好物等の摂取データを入力し
　　
ウ．「第３図は，健康管理システムのハードウェアのブロック構成図を示す。
　・・・（途中省略）・・・
　増設ディスク１９は，
料理単品ごとの栄養価，カロリーを記憶し，運動の種類（例えば炊事，洗濯，掃除等の家事の種類，水泳，ハイキング，ゴルフ等のスポーツの種類）に応じたＲＭＲ値（Relative Metabolic Rate）を記憶している。さらに，カロリーメータの運動量に基礎代謝量を加えて，エネルギー所要量を求める式，上記運動の種類に応じたエネルギーの消費量，個人基礎データ，身体計測データを考慮した栄養目標値算出表と妊婦栄養目標算出表，上記栄養目標値，妊婦栄養目標値を基準とした栄養過不足判断表等を記憶している
　　
エ．「
個人基礎データは，マウスを用いて，第１表に示す生年月日，性別，妊娠の有無，喫煙の有無，目標体重値，生活活動強度を入力していく
   　　
     　
　
身体計測データは，マウスを用いて，第２表に示す身長，体重，体脂肪率，ウエストサイズ，ヒップサイズ，測定日を入力していく
　　
オ．「
食事データの入力は
朝食，昼食，夕食ごとに，摂取した料理内容に最も近い料理内容を選ぶ
・・・（途中省略）・・・
　「画像入力」でなく「リスト入力」を選び，外食メニュー「定食」を選んだ場合，ディスプレイ１５には，モーニング，ホテル朝食セット，ビュフェ形式組合せセット，和定食，朝かゆ定食等のリストが表れるとともに，上記1/3,1/2,1,2,3等の数字が表れる。そこで，該当する定食を入力すると，定食の内容（トースト，卵，サラダ，コーヒー，紅茶，アイスコーヒー等）がやはりリスト形式で表れるので，
摂取したものと，摂取量を入力する
　　
カ．「また，
栄養目標値算出表で算出した個人に応じた栄養所要量と，摂取した料理から求められる摂取栄養価とを，栄養過不足判断表等に照らし合わせ，栄養の過不足の判定を行う
　
栄養目標値算出表は，第７表に示すようなものである
       　
 
      　
　ただし，第７表において，
ビタミンＢ１，ビタミンＢ２，ナイアシンは，性，年齢，生活活動強度による補正を行う
　
妊婦の場合，妊娠前半期，妊娠後半期，授乳期に別けて，第８表のような補正を行う
     　
　
栄養過不足判断表は，各栄養素について，不足，適正，過剰を判断する表であり，不足−−−，不足−−，不足−，適正，過剰＋，過剰＋＋，過剰＋＋＋の７段階で区別する
　詳述すると，第７表，第８表に基づいて各栄養素の目標値が求まるので，その目標値から幾ら離れているかで上記どの区別に入るかを判定する。例えば摂取した熱量をＱとすると，
　目標値−100kcal＜Ｑ＜目標値＋100kcal
ならば適正，
　目標値−500kcal＜Ｑ＜目標値−100kcal
ならば不足−，
　目標値−1000kcal＜Ｑ＜目標値−500kcal
ならば不足−−，
　Ｑ＜目標値−1000kcal
ならば不足−−−，となる。
　
熱量以外にも，蛋白質，脂肪，食塩，カルシウム，リン，鉄，カリウム，ビタミンＡ，ビタミンＤ，ビタミンＢ１，ビタミンＢ２，ビタミンＣ，ナイアシン，コレステロール，食物繊維等について過不足を判断する
　　
キ．「以上のように
求められたデータは
操作者からの要求に応じて，随時ディスプレイ１５に表示される
・・・（途中省略）・・・
　
栄養の評価を要求したときには，摂取した栄養価を栄養素別に表示するとともに，前に述べた７段階の評価に従って過不足のある箇所を強調して表示する
熱量が過剰＋＋＋，食塩が過剰＋＋，鉄分が不足−−，食物繊維が不足−であれば，その旨を色分け等で表示する
     
ク．ここで，上記ア〜キの記載についてまとめる。
（ア）上記イによると，引用例１の健康管理システムに入力される個人の身体データは性別，年齢，体型，体力等であり，行動データは睡眠時間，運動量等であり，摂取データは食事，嗜好物等である。
　また，上記エによると，上記「個人の身体データ」として具体的に入力されるデータは，個人基礎データとして生年月日，性別，妊娠の有無，喫煙の有無，目標体重値，生活活動強度，また，身体計測データとして身長，体重，体脂肪率，ウエストサイズ，ヒップサイズ，測定日である。
　また，第１表によれば，前記生活活動強度としては軽い，中程度，やや重い，重いが入力されるものである。
　よって，健康管理システムに入力される個人の身体データは生年月日，性別，妊娠の有無，喫煙の有無，目標体重値，生活活動強度（軽い，中程度，やや重い，重い），身長，体重，体脂肪率，ウエストサイズ，ヒップサイズ，測定日等であり，行動データは睡眠時間，運動量等であり，摂取データは食事，嗜好物等であるといえる。
（イ）上記カによると，個人に応じた栄養所要量は，栄養目標値算出表及び妊婦栄養目標値算出表等により算出するものであり，まず，第７表の栄養目標値算出表を用いて個人の身体データである体重，性別等により算出し，その算出結果に対して，前記栄養目標値算出表を用いて生活活動強度（軽い，中程度，やや重い，重い）により蛋白質の補正量を決定し，また，妊婦の場合，第８表の妊婦栄養目標値算出表を用いて妊娠前半期，妊娠後半期，授乳期に別けて，蛋白質，カルシウム，鉄，ビタミンＡ等の各栄養素の補正量を決定し，補正を行うことにより算出するものである。
（ウ）以上，ア〜キの記載，及び（ア），（イ）によれば，引用例１には次の発明（以下，「引用発明」という。）が記載されている。
　　
＜＜引用発明＞＞
「個人の身体データ，食物摂取データ，行動データを入力する入力手段と，
　予め食物別の栄養データを格納するとともに，典型的な個人の行動および身体の特徴等に応じた栄養の目標値データを予め格納するデータ記憶手段と，
　上記データ記憶手段に格納されている栄養データを基にして，上記入力手段より入力された食物摂取データから，摂取した栄養価を算出する第１の算出手段と，
　上記入力手段より入力された身体データ，行動データを基にして，上記データ記憶手段に格納されている目標値データを補正し，当該個人に対応する栄養の目標値を算出する第２の算出手段と，
　第１の算出手段により算出された栄養の摂取量と，第２の算出手段により算出された栄養の目標値との比較から栄養の過不足を判定する判定手段と，
　判定手段による判定結果に基づき，好ましい運動内容および／または栄養摂取内容を指示する指示手段とを有する健康管理システムであって，
　前記個人の身体データは生年月日，性別，妊娠の有無，喫煙の有無，目標体重値，生活活動強度（軽い，中程度，やや重い，重い），身長，体重，体脂肪率，ウエストサイズ，ヒップサイズ，測定日等であり，行動データは睡眠時間，運動量等であり，摂取データは食事，嗜好物等であり，
　食事データの入力は，朝食，昼食，夕食ごとに，摂取した料理内容に最も近い料理内容を選び，摂取したものと，摂取量を入力するものであり，
　料理単品ごとの栄養価，カロリーを記憶し，運動の種類（例えば炊事，洗濯，掃除等の家事の種類，水泳，ハイキング，ゴルフ等のスポーツの種類）に応じたＲＭＲ値（Relative Metabolic Rate），さらに，カロリーメータの運動量に基礎代謝量を加えて，エネルギー所要量を求める式，上記運動の種類に応じたエネルギーの消費量，個人基礎データ，身体計測データを考慮した栄養目標値算出表と妊婦栄養目標算出表，上記栄養目標値，妊婦栄養目標値を基準とした栄養過不足判断表等を記憶しており，
　個人に応じた栄養所要量は，まず栄養目標値算出表を用いて個人の身体データである体重，性別等により算出し，その算出結果に対して，前記栄養目標値算出表を用いて生活活動強度（軽い，中程度，やや重い，重い）により蛋白質の補正量を決定し，また，妊婦の場合，妊婦栄養目標値算出表を用いて妊娠前半期，妊娠後半期，授乳期に別けて，蛋白質，カルシウム，鉄，ビタミンＡ等の各栄養素の補正量を決定し，補正を行うことにより算出するものであり，
　個人に応じた栄養所要量と，摂取した料理から求められる摂取栄養価とを，栄養過不足判断表等に照らし合わせ，栄養の過不足の判定を行うものであり，
　栄養過不足判断表は，各栄養素について，不足，適正，過剰を判断する表であり，不足−−−，不足−−，不足−，適正，過剰＋，過剰＋＋，過剰＋＋＋の７段階で区別し，蛋白質，脂肪，食塩，カルシウム，リン，鉄，カリウム，ビタミンＡ，ビタミンＤ，ビタミンＢ１，ビタミンＢ２，ビタミンＣ，ナイアシン，コレステロール，食物繊維等について過不足を判断するものであり，
　求められたデータは，操作者からの要求に応じて，随時ディスプレイに表示され，栄養の評価を要求したときには，摂取した栄養価を栄養素別に表示するとともに，７段階の評価に従って過不足のある箇所を強調して表示するものであり，例えば，熱量が過剰＋＋＋，食塩が過剰＋＋，鉄分が不足−−，食物繊維が不足−であれば，その旨を色分け等で表示する，健康管理システム。」
　　
（２）当審の拒絶の理由に引用された，特開２００６−３０２３０４号公報（以下，「引用例２」という。）には，次の事項が記載されている。なお，下線は当審において付加したものである。
　　
ア．「【請求項１】
　
利用者に提供すべきサプリメントの配合を決定する配合決定装置であって
　
栄養素の許容上限摂取量に基づいて定められる基準値を複数の栄養素毎に格納する摂取許容量格納部と
　
複数の質問のそれぞれを，質問に対する複数の回答候補に対応付けて格納する質問格納部と
　
前記複数の回答候補のそれぞれに対応付けて，前記サプリメントに含まれるべき栄養素の種類及びその量を格納するテーブルと
　
前記質問及び前記質問に対する前記複数の回答候補を利用者に対して出力し，前記複数の回答候補から前記利用者の回答を選択させて利用者情報として取得する質問実行部と
　
前記利用者により回答として選択された前記回答候補に対応付けられた栄養素の種類及びその量を前記テーブルから取得して，取得した前記栄養素の種類及びその量に基づいて前記サプリメントに含まれるべき栄養素及びその量を示す配合目標情報を決定する配合決定部と
　
前記配合目標情報が示す栄養素の量が，当該栄養素の前記基準値を超える場合に，前記栄養素の量を前記基準値に基づいて変更する栄養素量変更部
　
前記栄養素量変更部による変更量に基づいて，前記サプリメントに補充すべき機能性素材及びその量を決定する機能性素材量補充部と
を備えることを特徴とする配合決定装置
　　
イ．「【００２９】
　図３乃至図６は，図２に示す質問格納部１１１０が格納する情報の構成をテーブル形式で示す図である。
質問格納部１１１０は，複数の質問ＩＤ毎に，質問ＩＤに対応する質問を格納する。質問格納部１１１０は，質問を属性毎に格納する。図３の例では，属性は，基礎情報，摂取食事情報，環境情報，生理情報，薬理情報，及び目的情報を含む
【００３０】
　基礎情報に関する質問である基礎質問は，利用者の体格，体質，運動及び病気の有無を問う。摂取食事情報に関する質問である食事質問は，利用者が摂取している食事内容を問う。環境情報に関する質問である環境質問は，利用者の生活環境を問う。
生理情報に関する質問である生理質問は，特定の栄養素が欠乏した場合に知覚される症状を問う。
【００３１】
　質問格納部１１１０は，目的情報に関する質問において，質問ＩＤ毎に，質問に対応する回答と回答分岐先を対応付けて格納する。回答分岐先は，薬理情報に関する質問ＩＤを指定する情報を含む。図３の例では，質問格納部１１１０は，質問ＩＤ６００４における回答のＹ（はい）に対応付けて，質問ＩＤ５００４を指定する情報を回答分岐先として格納する。
　【００３２】
　また，
質問格納部１１１０は，複数の質問ＩＤ毎に，質問ＩＤに対応する複数の回答候補を格納する。図４の例では，質問格納部１１１０は，質問ＩＤ１００１に対応付けて，１（男性）又は２（女性）を含む複数の回答候補を格納し，質問ＩＤ３００１に対応付けてＹ（はい），Ｎ（いいえ）又はＹＮ（どちらでもない）を含む複数の回答候補を格納する。
  　
ウ．「【００３６】
　図７は，図２に示す配合決定部１００の構成を示すブロック図である。
配合決定部１００は，基礎情報格納部１０２，食事情報格納部１０４，環境情報格納部１０６，生理情報格納部１０８，薬理情報格納部１１０，要求栄養素量決定部２００，摂取目標栄養素量決定部４００，及び配合目標情報決定部６００を有する
　　
エ．「【００６５】
　図１４は，図７に示す配合目標情報決定部６００の構成を示すブロック図である。
配合目標情報決定部６００は，生理情報処理部６０２，薬理情報処理部６０４及び配合目標情報処理部６０６を有する
【００６６】
　
生理情報処理部６０２は，生理情報格納部１０８から取得した生理情報，要求栄養素量算出部２５０が入力する要求栄養素量，及び摂取目標栄養素量算出部４３０が入力する摂取目標栄養素量に基づいて，特定の栄養素の欠乏に起因した症状を改善するために必要な栄養素の量である生理栄養素量を算出して配合目標情報処理部６０６及び摂取許容量決定部１２００へ出力する
【００６７】
　薬理情報処理部６０４は，薬理情報格納部１１０から取得した薬理情報，要求栄養素量算出部２５０が入力する要求栄養素量，及び存在栄養素量判断部４２０が入力する存在栄養素量に基づいて，特定の栄養素を大量に摂取することで改善される症状を改善するために必要な栄養素の量である薬理栄養素量を算出して配合目標情報処理部６０６及び摂取許容量決定部１２００へ出力する。生理情報処理部６０２が算出した他の情報は，質問実行部１１００，機能性素材量補充部１４００及び表示用目標量決定部１６００に出力される。
　配合目標情報処理部６０６は，生理情報処理部６０２が入力する生理栄養素量，薬理情報処理部６０４が入力する薬理栄養素量，摂取目標栄養素量算出部４３０が入力する摂取目標栄養素量，及び所要栄養素量算出部２１０が入力する所要栄養素量に基づいて，サプリメントに含まれるべきと判断される栄養素及びその量である配合目標情報を算出して，栄養素量変更部１３００へ出力する。
【００６８】
　以上のように，配合目標情報決定部６００は，摂取目標栄養素量に対して，特定の栄養素の欠乏を解消することにより改善すべき利用者の症状，及び栄養素が欠乏したときの症状ではないが特定の栄養素を大量に摂取することで改善される利用者の症状を加味することにより，サプリメントに含まれるべきと判断される栄養素及びその量である配合目標情報を算出することができる。
【００６９】
　図１５は，図１４に示す生理情報処理部６０２の構成を示すブロック図である。
生理情報処理部６０２は，生理質問判断部６１０，生理身体機能格納部６１２，生理改善機能格納部６１４，摂取目標率算出部６２０，摂取目標率格納部６２２，生理改善機能変換部６３０，生理栄養素情報格納部６３２，生理機能素材情報格納部６３４，生理改善機能変換量格納部６４２を有する
【００７０】
　
生理身体機能格納部６１２は，特定の栄養素の欠乏に起因した症状が表れる身体機能である生理身体機能，及び当該症状の程度を示す係数を，生理質問に対する各回答候補毎に対応付けて格納する
　
生理質問判断部６１０は，生理情報格納部１０８から取得した生理情報に対応する生理身体機能及びその係数を，生理身体機能格納部６１２から取得し，これを用いて判断した生理身体機能及びその係数を生理改善機能変換部６３０及び１４００に出力する。
【００７１】
　生理改善機能格納部６１４は，生理質問判断部６１０が改善すべきと判断した生理身体機能を，利用者ＩＤ毎及び質問回数毎に格納する。
　摂取目標率算出部６２０は，要求栄養素量算出部２５０が入力する要求栄養素量に対する，摂取目標栄養素量算出部４３０が入力する摂取目標栄養素量の割合を示す摂取目標率を算出して，生理改善機能変換部６３０に出力する。
【００７２】
　摂取目標率格納部６２２は，摂取目標率算出部６２０が算出した摂取目標率を，利用者ＩＤ毎及び質問回数毎に格納する。
　生理栄養素情報格納部６３２は，生理身体機能毎に，当該生理身体機能に対応する栄養素量である生理栄養素量を格納する。生理機能素材情報格納部６３４は，生理身体機能毎に，当該生理身体機能に対応する栄養素量である生理機能性素材量を格納する。
【００７３】
　
生理改善機能変換部６３０は，生理栄養素量算出部６３６，生理機能素材量算出部６３８，及び生理総栄養素量算出部６４０を含む
【００７４】
　
生理栄養素量算出部６３６は，生理質問判断部６１０から取得した生理身体機能のうち機能性素材量に変換できない生理身体機能に対応する生理栄養素量を，生理栄養素情報格納部６３２から取得し，これに当該生理身体機能の係数を乗じて算出した生理栄養素量を配合目標情報処理部６０６及び摂取許容量決定部１２００に出力する。生理栄養素量は，特定の栄養素の欠乏に起因した症状を改善するために必要な栄養素の量である
   　
オ．「【０１３４】
　図３１は，図３０のＳ２００の詳細を示すフローチャートである。
　まず
要求栄養素量決定部２００は，基礎情報に対応する所要栄養素量及び運動必要栄養素量，ならびに摂取食事情報に対応する食事補完栄養素量を合算して，要求栄養素量を決定する
　
摂取目標栄養素量決定部４００は，摂取食事情報に対応する食事栄養素量から，生活環境情報に対応する消費栄養素量を減算して存在栄養素量を算出し，要求栄養素量と存在栄養素量を合算することにより，摂取目標栄養素量を決定する
【０１３５】
　また
生理質問判断部６１０は，生理情報に対応して生理身体機能及びその係数を判断し（Ｓ２１５），これを用いて生理改善機能変換部６３０は，生理栄養素量，生理総栄養素量及び生理機能性素材量を算出する
【０１３６】
　
補足目標情報設定部６５０は，摂取栄養素目標量と生理栄養素量を合算することにより補足目標情報を決定する
　相互作用レベル判定部７００は，配合目標情報と所要栄養素量に対応して，相互作用レベルを判定する（Ｓ２５５）。
　そして配合目標量情報調整部７１０は，相互作用レベルに基づき，配合目標情報における複数の栄養素間の相互拮抗作用を調整することにより，配合目標情報を調整する（Ｓ２６０）。
【０１３７】
　以上のように，配合決定部１００は，栄養素の標準的な必要量に対して，利用者の運動習慣に応じて補足すべき栄養素，及び利用者が食事から取得している栄養素のバランスを取るために補完すべき栄養素を加え，利用者の身体に存在している栄養素を減じることにより，利用者が摂取すべき栄養素の量である摂取目標栄養素量を的確に決定することができる。
【０１３８】
　さらに
配合決定部１００は，この摂取目標栄養素量に対して，特定の栄養素が欠乏した場合に知覚される症状
を改善する栄養素を加えることにより，サプリメントに含まれるべき栄養素及びその量を示す配合目標情報を的確に決定することができる
　加えて配合決定部１００は，配合目標情報における複数の栄養素間の相互拮抗作用を調整することにより，配合目標情報における複数の栄養素のバランスを取ることができる。」
    　
カ．以上のア〜オによれば，引用例２には以下の事項（以下，「引用例２記載事項」という。）が記載されている。
　　
＜＜引用例２記載事項＞＞
「利用者に提供すべきサプリメントの配合を決定する配合決定装置であって，
　栄養素の許容上限摂取量に基づいて定められる基準値を複数の栄養素毎に格納する摂取許容量格納部と，
　複数の質問のそれぞれを，質問に対する複数の回答候補に対応付けて格納する質問格納部と，
　前記複数の回答候補のそれぞれに対応付けて，前記サプリメントに含まれるべき栄養素の種類及びその量を格納するテーブルと，
　前記質問及び前記質問に対する前記複数の回答候補を利用者に対して出力し，前記複数の回答候補から前記利用者の回答を選択させて利用者情報として取得する質問実行部と，
　前記利用者により回答として選択された前記回答候補に対応付けられた栄養素の種類及びその量を前記テーブルから取得して，取得した前記栄養素の種類及びその量に基づいて前記サプリメントに含まれるべき栄養素及びその量を示す配合目標情報を決定する配合決定部と，
　前記配合目標情報が示す栄養素の量が，当該栄養素の前記基準値を超える場合に，前記栄養素の量を前記基準値に基づいて変更する栄養素量変更部と，
　前記栄養素量変更部による変更量に基づいて，前記サプリメントに補充すべき機能性素材及びその量を決定する機能性素材量補充部と
を備え，
　質問格納部１１１０は，複数の質問ＩＤ毎に，質問ＩＤに対応する質問を属性毎に格納し，属性は，基礎情報，摂取食事情報，環境情報，生理情報，薬理情報，及び目的情報を含み，
　生理情報に関する質問である生理質問は，特定の栄養素が欠乏した場合に知覚される症状を問うものであり，
　質問格納部１１１０は，複数の質問ＩＤ毎に，質問ＩＤに対応する複数の回答候補を格納し，質問格納部１１１０は，質問ＩＤ１００１に対応付けて，１（男性）又は２（女性）を含む複数の回答候補を格納し，質問ＩＤ３００１に対応付けてＹ（はい），Ｎ（いいえ）又はＹＮ（どちらでもない）を含む複数の回答候補を格納するものであり，
　配合決定部１００は，基礎情報格納部１０２，食事情報格納部１０４，環境情報格納部１０６，生理情報格納部１０８，薬理情報格納部１１０，要求栄養素量決定部２００，摂取目標栄養素量決定部４００，及び配合目標情報決定部６００を有し，
　配合目標情報決定部６００は，生理情報処理部６０２，薬理情報処理部６０４及び配合目標情報処理部６０６を有し，
　生理情報処理部６０２は，生理情報格納部１０８から取得した生理情報，要求栄養素量算出部２５０が入力する要求栄養素量，及び摂取目標栄養素量算出部４３０が入力する摂取目標栄養素量に基づいて，特定の栄養素の欠乏に起因した症状を改善するために必要な栄養素の量である生理栄養素量を算出して配合目標情報処理部６０６及び摂取許容量決定部１２００へ出力するものであり，
　生理情報処理部６０２は，生理質問判断部６１０，生理身体機能格納部６１２，生理改善機能格納部６１４，摂取目標率算出部６２０，摂取目標率格納部６２２，生理改善機能変換部６３０，生理栄養素情報格納部６３２，生理機能素材情報格納部６３４，生理改善機能変換量格納部６４２を有し，
　生理身体機能格納部６１２は，特定の栄養素の欠乏に起因した症状が表れる身体機能である生理身体機能，及び当該症状の程度を示す係数を，生理質問に対する各回答候補毎に対応付けて格納するものであり，
　生理質問判断部６１０は，生理情報格納部１０８から取得した生理情報に対応する生理身体機能及びその係数を，生理身体機能格納部６１２から取得し，これを用いて判断した生理身体機能及びその係数を生理改善機能変換部６３０及び１４００に出力し，
　生理改善機能変換部６３０は，生理栄養素量算出部６３６，生理機能素材量算出部６３８，及び生理総栄養素量算出部６４０を含み，
　生理栄養素量算出部６３６は，生理質問判断部６１０から取得した生理身体機能のうち機能性素材量に変換できない生理身体機能に対応する生理栄養素量を，生理栄養素情報格納部６３２から取得し，これに当該生理身体機能の係数を乗じて算出した生理栄養素量を配合目標情報処理部６０６及び摂取許容量決定部１２００に出力するものであり，ここで生理栄養素量は，特定の栄養素の欠乏に起因した症状を改善するために必要な栄養素の量であり，
  要求栄養素量決定部２００は，基礎情報に対応する所要栄養素量及び運動必要栄養素量，ならびに摂取食事情報に対応する食事補完栄養素量を合算して，要求栄養素量を決定し，
　摂取目標栄養素量決定部４００は，摂取食事情報に対応する食事栄養素量から，生活環境情報に対応する消費栄養素量を減算して存在栄養素量を算出し，要求栄養素量と存在栄養素量を合算することにより，摂取目標栄養素量を決定し，
　生理質問判断部６１０は，生理情報に対応して生理身体機能及びその係数を判断し（Ｓ２１５），これを用いて生理改善機能変換部６３０は，生理栄養素量，生理総栄養素量及び生理機能性素材量を算出し，
　補足目標情報設定部６５０は，摂取栄養素目標量と生理栄養素量を合算することにより補足目標情報を決定するものであり，
　配合決定部１００は，この摂取目標栄養素量に対して，特定の栄養素が欠乏した場合に知覚される症状を改善する栄養素を加えることにより，サプリメントに含まれるべき栄養素及びその量を示す配合目標情報を的確に決定することができる，配合決定装置。」
     　
（３）当審の拒絶の理由に引用された，特開２００６−１１４０１１号公報（以下，「引用例３」という。）には，次の事項が記載されている。なお，下線は当審において付加したものである。
　　
ア．「【００２４】
（不足栄養素のみの表示）
　上記の例では，不足栄養素に基づいて，メニュー表に掲載された複数の料理からお奨めの料理を提案する機能について説明したが，お奨めの料理を提案せず，不足栄養素のみを表示することも可能である。この場合，
携帯端末の所定の操作ボタンに，不足栄養素表示の指示を行うための機能を持たせておき，利用者が，この操作ボタンを操作すると，栄養素量比較手段５が，摂取栄養素量記憶部１に記録された摂取栄養素量，理想栄養素量記憶部２に記録された理想栄養素量を比較して摂取栄養素量が理想栄養素量に対して不足しているものを抽出し，表示手段７が抽出された不足栄養素を表示する。表示の手法としては
不足分が多い栄養素から順に一覧表示する
   　
イ．以上アによれば，引用例３には以下の事項（以下，「引用例３記載事項」という。）が記載されている。
　　
＜＜引用例３記載事項＞＞
「携帯端末の所定の操作ボタンに，不足栄養素表示の指示を行うための機能を持たせておき，利用者が，この操作ボタンを操作すると，栄養素量比較手段５が，摂取栄養素量記憶部１に記録された摂取栄養素量，理想栄養素量記憶部２に記録された理想栄養素量を比較して摂取栄養素量が理想栄養素量に対して不足しているものを抽出し，表示手段７が抽出された不足栄養素を不足分が多い栄養素から順に一覧表示する技術。」
    　
２．対比
　そこで，本願発明と引用発明とを対比する。
（１）本願発明の「対象者の身体的特徴に関する身体情報と該対象者が摂取した食物を特定する食物情報との入力を受付ける第一の受付手段」と，
　引用発明の「個人の身体データ，食物摂取データ，行動データを入力する入力手段」，「前記個人の身体データは生年月日，性別，妊娠の有無，喫煙の有無，目標体重値，生活活動強度（軽い，中程度，やや重い，重い），身長，体重，体脂肪率，ウエストサイズ，ヒップサイズ，測定日等であり，行動データは睡眠時間，運動量等であり，摂取データは食事，嗜好物等であり」及び「食事データの入力は，朝食，昼食，夕食ごとに，摂取した料理内容に最も近い料理内容を選び，摂取したものと，摂取量を入力するものであり」について対比する。
　引用発明の「個人」とは，引用発明の「健康管理システム」に対して入力対象となる者であるから，本願発明の「対象者」に相当することは明らかである。
　また，引用発明の「身体データ」には，「前記個人の身体データは生年月日，性別，妊娠の有無，喫煙の有無，目標体重値，生活活動強度（軽い，中程度，やや重い，重い），身長，体重，体脂肪率，ウエストサイズ，ヒップサイズ，測定日等」が含まれており，特に「生年月日，性別，身長，体重，体脂肪率，ウエストサイズ，ヒップサイズ」はその個人の身体的特徴であるといえるから，これらは本願発明の「対象者の身体的特徴に関する身体情報」の入力に相当するものである。
　また，引用発明の「食物摂取データ」は，「食事データの入力は，朝食，昼食，夕食ごとに，摂取した料理内容に最も近い料理内容を選び，摂取したものと，摂取量を入力するものであり」との事項によると，個人が摂取した料理とその摂取量を特定して入力するものであるから，これらは本願発明の「対象者が摂取した食物を特定する食物情報」の入力に相当するものである。
　そして，引用発明の「入力手段」は，引用発明の「健康管理システム」からみれば，入力を受け付ける手段であるといえるから，本願発明の「入力を受付ける第一の受付手段」に相当するものである。
　そうすると，本願発明と引用発明は，後記する点で相違するものの，
「対象者の身体的特徴に関する身体情報と該対象者が摂取した食物を特定する食物情報との入力を受付ける第一の受付手段」
を備える点で共通する。
（２）本願発明の「複数の自覚症状候補から選択された前記対象者の自覚症状及び自覚症状ごとの強度候補から選択された強度を受付ける第二の受付手段」及び「自覚症状及び強度に対応付けて栄養素及び補正量を記憶したデータから前記第二の受付手段が受付けた自覚症状及び強度に基づき抽出した栄養素及び補正量と，前記第一の受付手段が受付けた前記身体情報に基づいて決定される栄養所要量とを用いて，前記対象者に対する各栄養素の必要摂取量を算出する手段」と，
　引用発明の「予め食物別の栄養データを格納するとともに，典型的な個人の行動および身体の特徴等に応じた栄養の目標値データを予め格納するデータ記憶手段」，「上記入力手段より入力された身体データ，行動データを基にして，上記データ記憶手段に格納されている目標値データを補正し，当該個人に対応する栄養の目標値を算出する第２の算出手段」，「料理単品ごとの栄養価，カロリーを記憶し，運動の種類（例えば炊事，洗濯，掃除等の家事の種類，水泳，ハイキング，ゴルフ等のスポーツの種類）に応じたＲＭＲ値（Relative Metabolic Rate），さらに，カロリーメータの運動量に基礎代謝量を加えて，エネルギー所要量を求める式，上記運動の種類に応じたエネルギーの消費量，個人基礎データ，身体計測データを考慮した栄養目標値算出表と妊婦栄養目標算出表，上記栄養目標値，妊婦栄養目標値を基準とした栄養過不足判断表等を記憶しており」及び「個人に応じた栄養所要量は，まず栄養目標値算出表を用いて個人の身体データである体重，性別等により算出し，その算出結果に対して，前記栄養目標値算出表を用いて生活活動強度（軽い，中程度，やや重い，重い）により蛋白質の補正量を決定し，また，妊婦の場合，妊婦栄養目標値算出表を用いて妊娠前半期，妊娠後半期，授乳期に別けて，蛋白質，カルシウム，鉄，ビタミンＡ等の各栄養素の補正量を決定し，補正を行うことにより算出するものであり」について対比する。
　引用発明の「個人に対応する栄養の目標値を算出する第２の算出手段」は，「個人に応じた栄養所要量」を算出するものであり，まず「運動の種類に応じたエネルギーの消費量，個人基礎データ，身体計測データを考慮した栄養目標値算出表」を用いて「個人の身体データである体重，性別等により算出」するものであり，この算出結果はその個人についての基本的な栄養所要量であるから，本願発明の「第一の受付手段が受付けた前記身体情報に基づいて決定される栄養所要量」に相当するものである。
　また，引用発明では上記算出結果に対して，「前記栄養目標値算出表を用いて生活活動強度（軽い，中程度，やや重い，重い）により蛋白質の補正量を決定し，また，妊婦の場合，妊婦栄養目標値算出表を用いて妊娠前半期，妊娠後半期，授乳期に別けて，蛋白質，カルシウム，鉄，ビタミンＡ等の各栄養素の補正量を決定し，補正を行う」ことにより前記「個人に応じた栄養所要量」を算出するものである。
　これに対し本願発明では，「対象者の自覚症状」及び「強度」に応じて「栄養素及び補正量」を決定し，「前記第一の受付手段が受付けた前記身体情報に基づいて決定される栄養所要量とを用いて，前記対象者に対する各栄養素の必要摂取量を算出する」ものであり，入力される補正対象となる対象者の情報が，本願発明では「対象者の自覚症状」及び「強度」であるのに対し，引用発明では「生活活動強度（軽い，中程度，やや重い，重い）」及び「妊婦の場合，妊娠前半期，妊娠後半期，授乳期」である点で相違するものの，引用発明の「栄養目標値算出表」及び「妊婦栄養目標値算出表」は，本願発明の「自覚症状及び強度に対応付けて栄養素及び補正量を記憶したデータ」に対応するものであり，また，引用発明の「個人に応じた栄養所要量」は「生活活動強度（軽い，中程度，やや重い，重い）」及び「妊婦の場合，妊娠前半期，妊娠後半期，授乳期」による補正を加味して算出された各栄養素の必要摂取量といえることから，本願発明の「対象者に対する各栄養素の必要摂取量」に対応するものである。
　そうすると，本願発明と引用発明は，後記する点で相違するものの，
「補正対象となる対象者の情報を受付ける第二の受付手段」及び「補正対象となる対象者の情報に対応付けて栄養素及び補正量を記憶したデータから前記第二の受付手段が受付けた補正対象となる対象者の情報に基づき抽出した栄養素及び補正量と，前記第一の受付手段が受付けた前記身体情報に基づいて決定される栄養所要量とを用いて，前記対象者に対する各栄養素の必要摂取量を算出する手段」
を備える点で共通する。
（３）本願発明の「算出した前記各栄養素の必要摂取量と，前記食物情報に基づいて決定される栄養摂取量とに基づき，複数の栄養素のそれぞれについて摂取量が，予め設定されている過剰から不足までの度合いを示す複数の区分の内のいずれに属するかを判定する判定手段」と，
　引用発明の「上記データ記憶手段に格納されている栄養データを基にして，上記入力手段より入力された食物摂取データから，摂取した栄養価を算出する第１の算出手段」，「第１の算出手段により算出された栄養の摂取量と，第２の算出手段により算出された栄養の目標値との比較から栄養の過不足を判定する判定手段」，「個人に応じた栄養所要量と，摂取した料理から求められる摂取栄養価とを，栄養過不足判断表等に照らし合わせ，栄養の過不足の判定を行うものであり」，及び，「栄養過不足判断表は，各栄養素について，不足，適正，過剰を判断する表であり，不足−−−，不足−−，不足−，適正，過剰＋，過剰＋＋，過剰＋＋＋の７段階で区別し，蛋白質，脂肪，食塩，カルシウム，リン，鉄，カリウム，ビタミンＡ，ビタミンＤ，ビタミンＢ１，ビタミンＢ２，ビタミンＣ，ナイアシン，コレステロール，食物繊維等について過不足を判断するものであり」について対比する。
　引用発明の「上記データ記憶手段に格納されている栄養データを基にして，上記入力手段より入力された食物摂取データから，摂取した栄養価を算出する第１の算出手段」において算出される「摂取した栄養価」は，本願発明の「前記食物情報に基づいて決定される栄養摂取量」に相当し，また，引用発明の「第２の算出手段により算出された栄養の目標値」は，上記（２）で示した「個人に応じた栄養所要量」であって，本願発明の「算出した前記各栄養素の必要摂取量」に相当するものである。
　また，引用発明の「第１の算出手段により算出された栄養の摂取量と，第２の算出手段により算出された栄養の目標値との比較から栄養の過不足を判定する判定手段」は，「個人に応じた栄養所要量と，摂取した料理から求められる摂取栄養価とを，栄養過不足判断表等に照らし合わせ，栄養の過不足の判定を行うものであり」，また，「栄養過不足判断表は，各栄養素について，不足，適正，過剰を判断する表であり，不足−−−，不足−−，不足−，適正，過剰＋，過剰＋＋，過剰＋＋＋の７段階で区別し，蛋白質，脂肪，食塩，カルシウム，リン，鉄，カリウム，ビタミンＡ，ビタミンＤ，ビタミンＢ１，ビタミンＢ２，ビタミンＣ，ナイアシン，コレステロール，食物繊維等について過不足を判断するものであり」との事項によれば，各栄養素についての過不足を，「栄養過不足判断表」として予め設定されている「不足−−−，不足−−，不足−，適正，過剰＋，過剰＋＋，過剰＋＋＋」の７段階のどの区分に属するかを判定するものである。
　そうすると，本願発明と引用発明は，後記する点で相違するものの，
「算出した前記各栄養素の必要摂取量と，前記食物情報に基づいて決定される栄養摂取量とに基づき，複数の栄養素のそれぞれについて摂取量が，予め設定されている過剰から不足までの度合いを示す複数の区分の内のいずれに属するかを判定する判定手段」
を備える点で共通する。
（４）本願発明の「前記度合いが不足している栄養素を抽出し，抽出した該度合いが不足している栄養素を，不足度合いに応じた順序に並べて列記する表示だけでなく，前記複数の栄養素のそれぞれにつき所定の順序で，過剰から不足までの度合いについて前記判定手段により判定された区分に属することを識別可能に表示可能な出力手段」と，
　引用発明の「求められたデータは，操作者からの要求に応じて，随時ディスプレイに表示され，栄養の評価を要求したときには，摂取した栄養価を栄養素別に表示するとともに，７段階の評価に従って過不足のある箇所を強調して表示するものであり，例えば，熱量が過剰＋＋＋，食塩が過剰＋＋，鉄分が不足−−，食物繊維が不足−であれば，その旨を色分け等で表示する」について対比する。
　引用発明は，操作者が栄養の評価を要求したときに，摂取した栄養価を栄養素別に表示するものであり，その表示順については特に特定されているわけではなく，一般に所定の順序で表示されるものといえ，また，上記（３）で示した「判定手段」により判定された栄養素の過不足について，その過剰から不足までの７段階のどの区分に属するかを色分けによりディスプレイに表示するものである。
　そうすると，本願発明と引用発明は，後記する点で相違するものの，
「前記複数の栄養素のそれぞれにつき所定の順序で，過剰から不足までの度合いについて前記判定手段により判定された区分に属することを識別可能に表示可能な出力手段」
を備える点で共通する。
（５）引用発明の「健康管理システム」は，個人の情報と食物摂取量等から，個人に必要な栄養所要量を算出してその過不足を判定し，個人の健康管理を支援するシステムであることから，本願発明でいう「健康管理支援装置」であるといえる。
（６）以上の（１）−（５）によれば，本願発明と引用発明は，
　　
＜＜一致点＞＞
「対象者の身体的特徴に関する身体情報と該対象者が摂取した食物を特定する食物情報との入力を受付ける第一の受付手段と，
　補正対象となる対象者の情報を受付ける第二の受付手段と，
　補正対象となる対象者の情報に対応付けて栄養素及び補正量を記憶したデータから前記第二の受付手段が受付けた補正対象となる対象者の情報に基づき抽出した栄養素及び補正量と，前記第一の受付手段が受付けた前記身体情報に基づいて決定される栄養所要量とを用いて，前記対象者に対する各栄養素の必要摂取量を算出する手段と，
　算出した前記各栄養素の必要摂取量と，前記食物情報に基づいて決定される栄養摂取量とに基づき，複数の栄養素のそれぞれについて摂取量が，予め設定されている過剰から不足までの度合いを示す複数の区分の内のいずれに属するかを判定する判定手段と，
　前記複数の栄養素のそれぞれにつき所定の順序で，過剰から不足までの度合いについて前記判定手段により判定された区分に属することを識別可能に表示可能な出力手段と
　を有することを特徴とする健康管理支援装置。」
である点で一致し，以下の点で相違する。
　　
［相違点１］
　補正対象となる対象者の情報として，本願発明では，「複数の自覚症状候補から選択された前記対象者の自覚症状及び自覚症状ごとの強度候補から選択された強度」であるのに対し，引用発明では，「生活活動強度（軽い，中程度，やや重い，重い）」及び「妊婦の場合，妊娠前半期，妊娠後半期，授乳期」である点。
　　
［相違点２］
　本願発明では，「前記度合いが不足している栄養素を抽出し，抽出した該度合いが不足している栄養素を，不足度合いに応じた順序に並べて列記する表示だけでなく」との表示形態を特定するのに対し，引用発明ではそのようになっていない点。
　　
３．当審の判断
（１）相違点１について
　上記引用例２記載事項における「利用者に提供すべきサプリメントの配合を決定する配合決定装置」では，利用者は「基礎情報，摂取食事情報，環境情報，生理情報，薬理情報，及び目的情報」について問う質問に対し，回答候補から選択する等の形態で回答を行い，また，特に「生理情報」に関する質問は「特定の栄養素が欠乏した場合に知覚される症状」を問うものであり，これはいわゆる「自覚症状」の有無を問う質問である。
　そして，この「配合決定装置」では，摂取目標栄養素量に対して，特定の栄養素が欠乏した場合に知覚される症状，つまり「自覚症状」を改善するための栄養素（生理栄養素量）を加えることにより，サプリメントに含まれるべき栄養素及びその量を示す配合目標情報を決定するものであり，利用者が摂取すべき目標となる栄養素量に対して，利用者の「自覚症状」を問う質問に対する回答から，当該「自覚症状」を改善する栄養素及びその量を加えること，すなわち補正することが示されている。
　また，一般に自覚症状をその症状の程度と共に選択入力することも，例えば特開平９−１９８４４６号公報（特に，第【００１７】−【００２４】段落の記載，及び，図７−図１０を参照）に記載されているように周知の技術である。
　そして，引用発明と上記引用例２記載事項における「配合決定装置」は，個人が必要とする各栄養素の必要摂取量を算出する点で共通しており，また，一般に自覚症状をその症状の程度と共に選択入力することも周知であることから，引用発明における必要摂取量の算出の際に適用する補正対象となる対象者の情報を，「自覚症状」及び「自覚症状の程度」（本願発明の「強度」に相当する）とし，当該「自覚症状」及び「自覚症状の程度」を改善するための栄養素及びその量（「自覚症状の程度」に応じた量となることは自明である。）により補正を行うこと，及び，この「自覚症状」及び「自覚症状の程度」を入力するためのユーザインタフェイスとして選択入力を採用することにより，上記相違点１に係る構成とすることは当業者であれば容易に想到し得たことである。
　　
（２）相違点２について
　上記引用例３記載事項の「携帯端末の所定の操作ボタンに，不足栄養素表示の指示を行うための機能を持たせておき，利用者が，この操作ボタンを操作すると，栄養素量比較手段５が，摂取栄養素量記憶部１に記録された摂取栄養素量，理想栄養素量記憶部２に記録された理想栄養素量を比較して摂取栄養素量が理想栄養素量に対して不足しているものを抽出し，表示手段７が抽出された不足栄養素を不足分が多い栄養素から順に一覧表示する技術。」によれば，理想栄養素量と摂取栄養素量を比較して不足している栄養素を抽出し，不足分の多い栄養素から順に一覧表示する表示形態は公知である。
　そして，一般的にビタミンなどは過剰摂取しても体外に排出され，重要であるのは不足する栄養素であることから，引用発明においても，特に不足する栄養素について注意喚起するために，上記引用例３記載事項で示される表示形態を適用し，上記相違点２に係る構成である「前記度合いが不足している栄養素を抽出し，抽出した該度合いが不足している栄養素を，不足度合いに応じた順序に並べて列記する表示」形態をさらに付加することは，当業者であれば容易になし得たことである。
　　
（３）そして，上記相違点を総合的に勘案しても，本願発明の奏する作用効果は，引用発明，引用例２記載事項，引用例３記載事項，及び，周知技術の作用効果から予測される範囲内のものにすぎず，格別顕著なものということはできない。
    　
４．まとめ
　以上のとおり，本願発明は，引用発明，引用例２記載事項，引用例３記載事項，及び，周知技術に基づいて当業者が容易に発明をすることができたものであるから，特許法第２９条第２項の規定により特許を受けることができないものである。
　　
第４　むすび
　以上のとおり，請求項１に係る発明は，引用発明，引用例２記載事項，引用例３記載事項，及び，周知技術に基づいて当業者が容易に発明をすることができたものであり，特許法第２９条第２項の規定により特許を受けることができないものであるから，その余の請求項について検討するまでもなく，本願は拒絶すべきものである。
　
　よって，結論のとおり審決する。